(57)【要約】【課題】火を使わずにキャンドルサービスのようなセレモニーを行う。【解決手段】シャンデリア装置２は結婚披露宴会場の各テーブルに載置しておき、新郎新婦はリモコンスイッチ装置３を携えて各テーブルを回る。そして、該リモコンスイッチ装置３をシャンデリア装置２に近付けて所定の操作を行うと、シャンデリア装置２の発光部２２が点灯され、従前のキャンドルサービスのようなセレモニーを行うことができる。本発明によれば、実際に火を使う必要が無いので、防災上好ましい。【選択図】図１
2008171692.tif 000002
【特許請求の範囲】
【請求項１】
テーブルに載置される基台部、該基台部から上方に延設されてなる主柱部、該主柱部に支持されてなる発光部、該発光部へ電源を供給する電源供給部、及び該発光部への電源供給を制御する電源制御部からなるシャンデリア装置と、前記電源制御部をリモコン操作することに基づき前記発光部への電源供給をＯＮ／ＯＦＦするリモコンスイッチ装置とを備えたことを特徴とする卓上シャンデリア。
【請求項２】
前記主柱部から放射状に延設された複数の支持アーム部、及び各支持アーム部に支持された複数の副柱部を備え、前記発光部は、各副柱部及び各支持アーム部を介して前記主柱部に支持されてなることを特徴とする請求項１に記載の卓上シャンデリア。
【請求項３】
前記副柱部に挿通された状態で支持されると共に、移動させることにより該副柱部から取り外すことができる、花びらを入れるための皿部を備えたことを特徴とする請求項２に記載の卓上シャンデリア。
【請求項４】
前記支持アーム部は、前記主柱部の回りに揺動可能となるように該主柱部により支持されたことを特徴とする請求項２又は３に記載の卓上シャンデリア。
【請求項５】
前記主柱部に挿通された状態で前記基台部の上側に配置される花木受け用の皿と、前記主柱部に支持される花木支持用のブラケットとを備えたことを特徴とする請求項１乃至４のいずれか１項に記載の卓上シャンデリア。
【請求項６】
前記花木受け用の皿は、複数の皿片に分割できて前記主柱部から取り外せるように構成されたことを特徴とする請求項５に記載の卓上シャンデリア。
【請求項７】
前記シャンデリア装置は、ウェディングベル、スピーカ部、及び前記リモコンスイッチ装置からの信号を受信して前記スピーカ部を制御するスピーカ制御部からなるウェディングベルユニットを備えたことを特徴とする請求項１乃至６のいずれか１項に記載の卓上シャンデリア。
【請求項８】
前記電源制御部は、前記発光部への電源供給を制御し、前記発光部は、遅延回路が接続されていて、前記電源制御部により最も高い位置に配置された発光部が点灯されてから所定のタイムラグで他の発光部が順次点灯されて行くことを特徴とする請求項１乃至７のいずれか１項に記載の卓上シャンデリア。 
【発明の詳細な説明】
【技術分野】
【０００１】
本発明は、結婚披露宴の会場においてキャンドルサービスを行うための卓上シャンデリアに関する。
【背景技術】
【０００２】
従来、結婚披露宴のキャンドルサービスを行う場合は、新郎新婦が各テーブルを回りながらテーブル上の蝋燭に火を灯していた。（例えば、特許文献１参照）。
【特許文献１】特開平０８−２１８０９２号公報
【発明の開示】
【発明が解決しようとする課題】
【０００３】
しかしながら、このようなキャンドルサービスでは、実際に火を使うので防災上は好ましくない。
【０００４】
本発明は、防災上の問題を解決できる卓上シャンデリアを提供することを目的とするものである。
【課題を解決するための手段】
【０００５】
請求項１に係る発明は、図１に例示するものであって、テーブルに載置される基台部（２０）、該基台部（２０）から上方に延設されてなる主柱部（２１）、該主柱部（２１）に支持されてなる発光部（２２）、該発光部（２２）へ電源を供給する電源供給部（図示せず）、及び該発光部（２２）への電源供給を制御する電源制御部（図示せず）からなるシャンデリア装置（２）と、
前記電源制御部（図示せず）をリモコン操作することに基づき前記発光部（２２）への電源供給をＯＮ／ＯＦＦするリモコンスイッチ装置（３）と、を備えた卓上シャンデリア（１）に関する。
【０００６】
請求項２に係る発明は、請求項１に係る発明において、前記主柱部（２１）から放射状に延設された複数の支持アーム部（図２の符号２５参照）、及び各支持アーム部（２５）に支持された複数の副柱部（２６）を備え、
前記発光部（２２）は、各副柱部（２６）及び各支持アーム部（２５）を介して前記主柱部（２１）に支持されてなることを特徴とする。
【０００７】
請求項３に係る発明は、請求項２に係る発明において、図１及び図３に示すように、前記副柱部（２６）に挿通された状態で支持されると共に、上方に移動させることにより該副柱部（２６）から取り外すことができる、花びらを入れるための皿部（２９）、を備えたことを特徴とする。
【０００８】
請求項４に係る発明は、請求項２又は３に係る発明において、前記支持アーム部（２５）は、前記主柱部（２１）の回りに揺動可能となるように該主柱部（２１）により支持された（図２の矢印Ａ参照）ことを特徴とする。
【０００９】
請求項５に係る発明は、請求項１乃至４のいずれか１項に記載の発明において、前記主柱部（２１）に挿通された状態で前記基台部（２０）の上側に配置される花木受け用の皿（図４の符号５参照）と、前記主柱部（２１）に支持される花木支持用のブラケット（図５の符号６、図６の符号７参照）、を備えたことを特徴とする。
【００１０】
請求項６に係る発明は、請求項５に係る発明において、前記花木受け用の皿（５）は、複数の皿片（５３ａ，５３ｂ）に分割できて前記主柱部（２１）から取り外せるように構成されたことを特徴とする。
【００１１】
請求項７に係る発明は、請求項１乃至６のいずれか１項に記載の発明において、前記シャンデリア装置（２）は、ウェディングベル（図７の符号８０参照）、スピーカ部（同図の符号８１参照）、及び前記リモコンスイッチ装置（３）からの信号を受信して前記スピーカ部（８１）を制御するスピーカ制御部（不図示）からなるウェディングベルユニット（８）を備えたことを特徴とする。
【００１２】
請求項８に係る発明は、請求項１乃至７のいずれか１項に記載の発明において、前記電源制御部は発光部（２２Ａ）への電源供給を制御し、発光部（２２Ｂ，…）は、遅延回路（不図示）が接続されていて、前記電源制御部により最も高い位置に配置された発光部（２２Ａ）が点灯されてから所定のタイムラグで順次点灯されて行くことを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１及び２に係る発明によれば、結婚披露宴等のセレモニーにおいて火を使わずにキャンドルサービスを行うことができ、防災上好ましい。
【００１５】
請求項３に係る発明によれば、皿部は取り外し可能に構成されているので、皿部の清掃メンテナンスを容易に行うことができる。
【００１６】
請求項４に係る発明によれば、収納時には支持アーム部を揺動させて収納スペースを節減することができる。
【００１７】
請求項５に係る発明によれば、花木を配置して装飾的効果を増すことができる。
【００１８】
請求項６に係る発明によれば、花木受け用の皿は取り外し可能に構成されているので、該皿の清掃メンテナンスを容易に行うことができる。
【００１９】
請求項７に係る発明によれば、光だけでなく音も発することができるので、演出効果を高めることができる。
【００２０】
請求項８に係る発明によれば、複数の発光部が上方のものから順次点灯されることとなり、より一層演出効果を高めることができる。また、リモコンスイッチ装置からの赤外線や電波を微弱なものとしておいて、該リモコンスイッチ装置の先端を電源制御装置にかなり近付けた状態でのみ発光部が点灯されるようにすると、他のテーブルの卓上シャンデリアが誤って点灯してしまったりするという事態を回避することができる。
【発明を実施するための最良の形態】
【００２１】
以下、図１乃至図７に沿って、本発明を実施するための最良の形態について説明する。ここで、図１は、本発明に係る卓上シャンデリアの外観の一例を示す斜視図であり、図２は、該卓上シャンデリアの構造の一例を示す平面図（模式図）であり、図３は、発光部等の構造を説明するための部品分解図である。また、図４は、花木受け用の皿の外観の一例を示す斜視図であり、図５は、花木支持用ブラケットの形状の一例を示す平面図であり、図６は、花木支持用ブラケットの形状の他の例を示す平面図であり、図７は、ウェディングベルユニットの外観の一例を示す斜視図である。
【００２２】
本発明に係る卓上シャンデリアは、図１に符号１で例示するものであって、披露宴会場の各テーブル上に配置されるシャンデリア装置２と、新郎新婦が各テーブルを回る際に携行して各シャンデリア装置２をＯＮ／ＯＦＦするリモコンスイッチ装置３とから構成されている。
【００２３】
この内のシャンデリア装置２は、テーブルに載置される基台部２０と、該基台部２０から上方に延設されてなる主柱部２１と、該主柱部２１に支持されてなる発光部２２と、該発光部２２へ電源を供給する電源供給部（図示せず）と、該発光部２２への電源供給を制御する電源制御部（図示せず）と、からなり、他方のリモコンスイッチ装置３は、前記電源制御部（図示せず）をリモコン操作することに基づき前記発光部２２への電源供給のＯＮ／ＯＦＦするように構成されている。なお、図１に示す電源供給部（図示せず）はバッテリを用いるが、もちろんこれに限られるものではなく、電源コード及び電源プラグを用いても良い。本発明によれば、火を使わずにキャンドルサービスのようなセレモニーを行うことができ、防災上好ましい。
【００２４】
ところで、上述のシャンデリア装置２は、テーブルを華やかに飾るものである必要があるので、発光部２２は一つだけでなく複数設けておくと良い。そのためには、前記主柱部２１から放射状に（図２に示すように、装置を真上から見下ろし状態で放射状となるように）複数の支持アーム部２５を延設し、各支持アーム部２５には、略鉛直方向に延設される副柱部２６をそれぞれ支持させておくと良い。そして、各発光部２２が、各副柱部２６及び各支持アーム部２５を介して前記主柱部２１に支持されるようにすると良い。なお、装飾的効果を高めるために、各副柱部２６は、緩やかに湾曲させた形状にすると良く、また、ティアドロップ形のガラス粒（図１の符号２７参照）等のアクセサリを適宜配置しておくと良い。
【００２５】
一方、披露宴の演出効果を高めるため、各発光部２２としては、図３に示すようなシャンデリア用電球を使用すると良い（本明細書において"フラムランプ"とする）。また、図３に符号２８で示すように、該ランプの口金部分には蝋燭の形状をしたカバー（本明細書において"キャンドルカバー"とする）を配置すると良い。このキャンドルカバー２８はガラス又は樹脂製であって、蝋が垂れたような形状をしている。さらに、そのキャンドルカバー２８の根本部分には、燭台を模した形状の透明な皿部２９を該キャンドルカバー２８を受けるような位置に（副柱部２６に挿通された状態で）配置しておくと良く、その皿部２９には、装飾的効果を高めるために花びら等を載置することができる。なお、上述のフラムランプ２２やキャンドルカバー２８は適宜取り外せるようにしておくと良い。また、この皿部２９と同形状のものを、前記主柱部２１にも配置しておいて（符号２１０参照）、その皿部２１０にも花びら等を入れておくと良い。
【００２６】
ところで、図１に示す卓上シャンデリア１の場合、複数の副柱部２６が主柱部２１の回りに放射状に配置されていて全体としてボリュームがあり、卓上にてその存在感を主張することができるものの、そのままでは収納時に大きな収納スペースを必要としてしまう。そこで、上述の支持アーム部２５を図２に矢印Ａで示すように主柱部２１の回りに揺動可能な構成にしておくと良い。そのようにすることにより、収納時には全体のボリュームを少なくすることができ、収納スペースを削減することができる。なお、上述の皿部２９を上方に移動させることにより前記副柱部２６から取り外せるようにしておけば、皿部のメンテナンス（例えば、清掃）等を容易に行うことができ、収納時においては収納スペースをさらに節減することができる。
【００２７】
また一方、図１に符号４で示すように、花木（花の咲く木）を配置して装飾的効果を増すようにすると良い。そのため、前記基台部２０の上側に、図４に符号５で示すような花木受け用の皿を前記主柱部２１に挿通された状態で配置すると良い。図中の符号５０は、前記主柱部２１が挿通される孔部を示す。また、符号５１は、孔部５０からの水漏れを防止すべく孔部５０の縁部に沿って設けられた突条部を示す。この皿５は分割線５２に沿って２つの皿片５３ａ，５３ｂに分割でき、簡単に主柱部２１から取り外せるようになっている。これにより、該皿のメンテナンス（例えば、清掃）等を容易に行うことができる。その分割面は、符号５４で示すように凹凸面で嵌め合わせるようになっていて、水漏れの無いように構成されている。この皿５には剣山や吸水性スポンジ（不図示）を置いておいて、花木を生けるようにすると良い。なお、３つ以上の皿片に分割される皿も本発明の範囲に含まれるものとする。一方、この皿５の数十ｃｍ上方には、花木を支持するためのブラケットを配置しておくと良い。図５は、花木支持用ブラケットの形状の一例を示す平面図であり、図中の符号６は花木支持用ブラケットを示し、符号６０は、主柱部２１から放射状に延設されるアーム部を示し、符号６１は、花木を挿通させるための花木支持部を示す。また、図６は、花木支持用ブラケットの形状の他の例を示す平面図であり、図中の符号７は花木支持用ブラケットを示し、符号７０は、主柱部２１から放射状に延設されるアーム部を示し、符号７１は、花木を受けるための花木支持凹部を示す。
【００２８】
一方、上述したリモコンスイッチ装置３は、演出効果を高めるため、スティック状のものとしてリボン等で装飾しておくと良い。また、手元部分にＯＮ／ＯＦＦスイッチ３０が配置されていると良い。このスイッチ３０が操作されると、赤外線や電波が前記電源制御部（図示せず）に送られ、前記発光部２２が点灯することとなる。なお、図１では、電源制御部（図示せず）はテーブル上に載置された状態で配置されているが、この電源制御部（図示せず）をシャンデリア装置２の頂上部（最も高い位置に配置された発光部２２Ａの近傍）に配置しておいて、該発光部２２Ａへの電源供給のみを制御するようにし、他の発光部２２Ｂ，２２Ｃ，…には遅延回路（不図示）を接続しておいて、前記電源制御部に前記リモコンスイッチ装置３を近付けて前記発光部２２Ａが点灯させると、その信号が他の発光部２２Ｂ，２２Ｃ，…に送られ、前記複数の発光部２２Ａ，２２Ｂ，２２Ｃ，…が上方のものから順に点灯するような構成にしておくと良い。これにより、演出効果をさらに高めることができる。なお、リモコンスイッチ装置からの赤外線や電波を微弱なものとしておいて、該リモコンスイッチ装置の先端を電源制御装置にかなり近付けた状態でのみ発光部が点灯されるようにすると、他のテーブルの卓上シャンデリアが誤って点灯してしまったりするという事態を回避することができる。
【００２９】
ところで、卓上シャンデリアが光だけでなく音を発するようにして演出効果を高めるようにしても良い。例えば、ウェディングベル（図７の符号８０参照）、スピーカ部（同図の符号８１参照）、及び前記リモコンスイッチ装置３からの信号を受信して前記スピーカ部を制御するスピーカ制御部（不図示）等からなるウェディングベルユニット８を卓上シャンデリアの頂上部に配置しておき、上述のリモコンスイッチ装置３を操作することにより、スピーカ制御部が操作されてスピーカ部８１からはベルの音や音楽等が流れるようにしておいても良い。また、予め録音しておいた新郎新婦のメッセージ（例えば、そのテーブルに座っている人に対するお礼のメッセージ等）流れるようにしても良い。さらに、その際にウェディングベル８０が回転するようにしても良い。
【図面の簡単な説明】
【００３０】
【図１】図１は、本発明に係る卓上シャンデリアの外観の一例を示す斜視図である。
【図２】図２は、該卓上シャンデリアの構造の一例を示す平面図（模式図）である。
【図３】図３は、発光部等の構造を説明するための部品分解図である。
【図４】図４は、花木受け用の皿の外観の一例を示す斜視図である。
【図５】図５は、花木支持用ブラケットの形状の一例を示す平面図である。
【図６】図６は、花木支持用ブラケットの形状の他の例を示す平面図である。
【図７】図７は、ウェディングベルユニットの外観の一例を示す斜視図である。
【符号の説明】
【００３１】
１            卓上シャンデリア
２            シャンデリア装置
３            リモコンスイッチ装置
４            花木
５            花木受け用の皿
６            花木支持用のブラケット
７            花木支持用のブラケット
８            ウェディングベルユニット
２０          基台部
２１          主柱部
２２          発光部
２５          支持アーム部
２６          副柱部
２９          皿部
５３ａ，５３ｂ        皿片
８０          ウェディングベル
８１          スピーカ部
【図１】
2008171692.tif 000003
【図２】
2008171692.tif 000004
【図３】
2008171692.tif 000005
【図４】
2008171692.tif 000006
【図５】
2008171692.tif 000007
【図６】
2008171692.tif 000008
【図７】
2008171692.tif 000009